(57)【要約】  脳動脈瘤クリッピング手術のシミュレーションのために組織力学のモデルを患者特有の像に結び付けることによって、正確および動的な方法での医療処置のシミュレーションのため、組織力学のモデルおよびツール特性を患者特有の像に結び付けることにより、特定の患者の静的／静止医療画像を、医療装置を含む医療ツールと相互作用する動的および対話型画像に変換するシステムおよび方法。【選択図】図１
2014522248.tif 000002
【特許請求の範囲】
【請求項１】
特定の患者の医療画像から取得され、または導き出された患者組織画像情報を格納し、前記組織の基準特性も格納するデータベースと、
ディスプレイと、
前記ディスプレイ上で表示するため、前記特定の患者の組織の動的３Ｄ画像を生成し、前記生成は、前記組織の動的３Ｄ画像が臨場感を持って前記特定の患者の対応する実際の組織を表すように、前記患者画像情報を使用する画像発生器と、
モデル作成システムとともに使用するため適合された実際の手術ツールに接続するツールインタフェースと、
ユーザによりもたらされた操作により、前記組織の動的３Ｄ画像と動的に相互作用するためユーザツールのツールモデルを生成するユーザツール発生器と、
前記ツールモデルのパラメータを調整する前記ユーザのためのユーザ・インタフェースと、を備え、
前記ツールモデルは前記ディスプレイ上に表示され、医療処置の臨場感があるシミュレーションのため前記調整されたパラメータにより前記組織の動的３Ｄ画像と動的に相互作用する、
手術シミュレーションを実行するモデル作成システム。
【請求項２】
前記パラメータを調整するユーザ・インタフェースが、前記ユーザツールの構造の修正を可能にする、請求項１に記載のモデル作成システム。
【請求項３】
前記ユーザツールの構造の前記修正が、前記ユーザツールの形状の変更を含む、請求項２に記載のモデル作成システム。
【請求項４】
前記システムにより生成された前記ユーザツールに関する仕様を修正されたように出力するインタフェースをさらに備える、請求項２に記載のモデル作成システム。
【請求項５】
ツールの製造が患者の実際の手術の実行で使用するため設計された実際のユーザツールの製造を可能にするフォーマットで、前記仕様が提供される、請求項４に記載のモデル作成システム。
【請求項６】
前記特定の患者の前記医療画像が動脈瘤の画像を含み、前記動的３Ｄ画像が動脈瘤の画像を含み、さらに、前記ユーザツールが前記組織の画像と動的に相互作用する動脈瘤クリップモデルを適用するための動脈瘤クリップアプライヤを含む、請求項１に記載のモデル作成システム。
【請求項７】
前記ユーザに対する異なる埋没物の複数のモデルのライブラリを格納するメモリと、
前記組織の３Ｄ画像と動的に相互作用するため前記ユーザツールモデルとともに使用するために、前記複数のモデルから１つの埋没物モデルを選択するユーザ・インタフェースと、をさらに備える、
請求項１に記載のモデル作成システム。
【請求項８】
前記動的相互作用が、前記ユーザツールと前記組織の３Ｄ画像の間の方向の相互作用の計算、および相互作用の検出のための、区分化および軟質組織のシミュレーションおよび衝突の検出の提供のため適合されたアルゴリズムの実行により提供される、請求項１に記載のモデル作成システム。
【請求項９】
前記システムが、前記ディスプレイ上に前記患者の頭部の少なくとも一部の画像を表示するため適合され、前記頭部の前記少なくとも一部の前記画像が、前記特定の患者の前記医療画像から導き出された、請求項１に記載のモデル作成システム。
【請求項１０】
前記モデル作成パラメータを調整するユーザ・インタフェースがまた、前記ユーザが組織の前記３Ｄ画像の力学的特性を調整するのも可能にする、請求項１に記載のモデル作成システム。
【請求項１１】
特定の患者の医療画像から取得され、または導き出された患者組織画像情報を格納するデータベースであって、前記画像情報は動脈瘤を含み、
データベースは前記組織の基準特性も格納するデータベースと、
ディスプレイと、
前記ディスプレイ上で表示するため、前記特定の患者の組織の動的３Ｄ画像を生成する画像発生器であって、前記生成は、前記組織の動的３Ｄ画像が臨場感を持って前記特定の患者の対応する実際の組織を表し、３Ｄで前記動脈瘤の画像を示す少なくとも１つの血管を含むように、前記患者画像情報を使用する画像発生器と、
モデル作成システムとともに使用するため適合された実際の動脈瘤クリップアプライヤに接続するツールインタフェースと、
ユーザによる前記実際の動脈瘤クリップアプライヤの操作により、前記動脈瘤の前記画像と動的に相互作用するため動脈瘤クリップアプライヤのツールモデルを生成するユーザツール発生器と、
前記動脈瘤クリップモデルのモデル作成パラメータを調整する前記ユーザのためのユーザ・インタフェースと、を備え、
前記動脈瘤クリップモデルは前記ディスプレイ上に表示され、動脈瘤クリッピング手術の臨場感があるシミュレーションのため前記調整されたモデル作成パラメータにより前記動脈瘤の前記画像と動的に相互作用する、
動脈瘤クリッピング手術のシミュレーションを実行するモデル作成システム。
【請求項１２】
前記動脈瘤クリップモデルのモデル作成パラメータを調整する前記ユーザ・インタフェースが、前記動脈瘤クリップモデルの大きさまたは方向の修正のためのものである、請求項１１に記載のモデル作成システム。
【請求項１３】
前記動脈瘤クリップモデルの構造の修正が、前記動脈瘤クリップモデルの形状の変更を含む、請求項１２に記載のモデル作成システム。
【請求項１４】
前記動脈瘤クリップモデルに基いた前記実際の動脈瘤クリップに関する仕様を修正されたように出力するインタフェースをさらに備え、前記仕様は前記システムにより生成される、請求項１１に記載のモデル作成システム。
【請求項１５】
動脈瘤クリップの製造が患者の実際の動脈瘤クリッピング手術の実行で使用する実際の動脈瘤クリップの製造を可能にするフォーマットで、前記仕様が提供される、請求項１４に記載のモデル作成システム。
【請求項１６】
前記ユーザに対する異なる動脈瘤クリップの複数のモデルのライブラリを格納するメモリと、
前記動脈瘤の前記画像と動的に相互作用するため前記動脈瘤クリップモデルとして使用するために、前記複数のモデルから１つの動脈瘤クリップモデルを選択するユーザ・インタフェースと、をさらに備える、
請求項１１に記載のモデル作成システム。
【請求項１７】
前記動的相互作用が、前記動脈瘤クリップの前記モデルと前記動脈瘤画像の間の方向の相互作用の計算、および相互作用の検出のための、区分化および軟質組織のシミュレーションおよび衝突の検出の提供のため適合されたアルゴリズムの実行により提供される、請求項１１に記載のモデル作成システム。
【請求項１８】
前記システムが、前記患者の頭部の少なくとも一部の画像を表示するため適合され、前記頭部の少なくとも一部の前記画像が、前記特定の患者の前記医療画像から導き出された、請求項１１に記載のモデル作成システム。
【請求項１９】
前記モデル作成パラメータを調整するユーザ・インタフェースがまた、前記ユーザが前記動脈瘤の前記画像の力学的特性を調整するためのものである、請求項１１に記載のモデル作成システム。
【請求項２０】
特定の患者の医療画像から取得され、または導き出された患者組織画像情報を格納するデータベースであって、前記画像情報は動脈瘤を含み、データベースは前記組織の基準特性も格納するデータベースと、
ディスプレイと、
前記ディスプレイ上で表示するため、前記特定の患者の組織の動的３Ｄ画像を生成する画像発生器であって、前記生成は、前記組織の動的３Ｄ画像が臨場感を持って前記特定の患者の対応する実際の組織を表し、３Ｄで前記動脈瘤の画像を示す少なくとも１つの血管を含むように、前記患者画像情報を使用する画像発生器と、
ユーザに対する異なる動脈瘤クリップの複数のモデルのライブラリを格納するメモリと、
前記動脈瘤の前記画像と動的に相互作用するための前記動脈瘤クリップモデルとして使用するために、前記複数のモデルから１つの動脈瘤クリップモデルを選択するユーザ・インタフェースと、
モデル作成システムとともに使用するため適合された実際の動脈瘤クリップアプライヤに接続するツールインタフェースと、
前記動脈瘤の画像の力学的特性を調整する前記ユーザのためのインタフェースと、
動脈瘤クリップアプライヤのモデルを生成し、また、前記ユーザによる前記実際の動脈瘤クリップアプライヤの操作により前記動脈瘤クリップの前記モデルを前記動脈瘤の前記画像に適用する、前記動脈瘤クリップアプライヤの前記モデルとの動的な相互作用を示された選択された動脈瘤クリップモデルを生成する、ユーザツール発生器と、
前記動脈瘤クリップモデルの力学的特性および／または前記動脈瘤の前記画像
を調整する前記ユーザのためのインタフェースと、を備え、
動脈瘤クリッピング手術の臨場感があるシミュレーションのため前記ユーザにより調整されたように、前記動脈瘤クリップモデルが前記ディスプレイ上に表示され、前記力学的特性に基き前記動脈瘤の前記画像と動的に相互作用する、
動脈瘤クリッピング手術のシミュレーションを実行するモデル作成システム。
【請求項２１】
特定の患者の医療画像から取得され、または導き出された患者組織画像情報を格納し、前記組織の基準特性も格納するデータベースと、
ディスプレイと、
前記ディスプレイ上で表示するため、特定の患者の血管および骨を含む組織の患者の解剖学的構造の動的３Ｄ画像を生成する画像発生器であって、前記生成は、前記組織の動的３Ｄ画像が臨場感を持って前記特定の患者の対応する実際の組織を３Ｄで表すように、前記患者画像情報を使用する画像発生器と、
ユーザに対する異なる埋没物の複数のモデルのライブラリを格納するメモリと、
前記解剖学的構造の画像と動的に相互作用するために、前記複数のモデルから１つの埋没物モデルを選択するユーザ・インタフェースと、
前記解剖学的構造の前記画像の前記力学的特性を調整する前記ユーザのためのインタフェースと、
手術ツールのモデルを生成し、また、ユーザによりもたらされる操作により前記解剖学的構造の前記画像との動的な相互作用を示された
前記選択された埋没物モデルを生成する、手術ツール発生器と、
前記解剖学的構造の画像との相互作用のため前記手術ツールの前記モデルを操作する前記ユーザのためのインタフェースと、
手術ツールのモデルおよび／または埋没物モデルおよび／または解剖学的構造の力学的特性を調整する前記ユーザのためのインタフェースと、を備え、動脈瘤クリッピング手術の臨場感があるシミュレーションのためユーザにより調整されたように、前記埋没物モデルが前記ディスプレイ上に表示され、前記力学的特性に基き前記組織の前記画像と動的に相互作用する、
埋込手術のシミュレーションを実行するモデル作成システム。
【請求項２２】
前記手術が、骨の一部、骨関節、膝関節、または心臓の一部を置換するものであり、前記埋没物が特定の手術に適合された、請求項２１に記載のモデル作成システム。
【発明の詳細な説明】
【技術分野】
【０００１】
本出願は、２０１１年３月３０日出願の米国仮出願シリアル番号第６１／４６９，１５２号の受益を主張し、この仮出願は参照により本明細書に組み込まれる。
【０００２】
本出願は一般的に、外科手術のシミュレーションのシステムおよび方法に関する。より具体的にいうと，本出願は、脳動脈瘤クリッピング手術のシミュレーションのために、組織運動のモデルを患者特有の像に結び付けることにより、（例えば、手術ツール、プローブ、および／または埋め込み可能な医療装置のような）医療ツールと相互作用する、静的／静止医療画像を動的および対話型画像に変換するシステムおよび方法に関する。
【背景技術】
【０００３】
”医療エラーは、年間９８，０００人もの人を殺し、有害事象に国全体で３７０億ドルから５００億ドルのコストがかかり、予防可能な有害事象に１７０億ドルから２９０億ドルのコストがかかる。””手術エラーは医療エラーにつながる。”Ｔｏ  Ｅｒｒ  Ｉｓ  Ｈｕｍａｎ：Ｂｕｉｌｄｉｎｇ  ａ  Ｓａｆｅｒ  Ｈｅａｌｔｈ  Ｓｙｓｔｅｍ，Ｉｎｓｔｉｔｕｔｅ  ｏｆ  Ｍｅｄｉｃｉｎｅ．Ｎａｔｉｏｎａｌ  Ａｃａｄｅｍｙ  ｏｆ  Ｓｃｉｅｎｃｅｓ．（１９９９）より。
【０００４】
さらに、２００２〜２００６年の米国の民間病院で治療された脳動脈瘤１９，０３４件のうち、１０，７１９件（５６％）が脳動脈瘤クリッピング手術によって治療された。血管内技術の出現をもってしても、より複雑な動脈瘤はなお顕微手術クリッピングを必要とする。
【０００５】
脳動脈瘤修復手術のようなリスクが高い手術の推移の間、例えば、外科医が動脈瘤域にアプローチしようと組織を押しおよび切断するとき、脳組織の絶対定位は明らかに変更される。従って、予め登録された３Ｄ像に基いた画像誘導ナビゲーションシステムのような、進歩した手術準備および支援システムの現在の利用は、外科医の補助に限定される。また、動脈瘤修復のような手術は、例えば動脈瘤領域への一時的血管クランピングを含む種々の処置により、時間が非常に重要になる。従って処置の効率がとても重要であり、患者特有の局部の幾何学構造および動脈瘤の物理的特性に基いた詳細な計画が根本的である。新しいレベルの手術前の準備のため、３ＤのＣＴおよびＭＲＩ画像がますます使用されている。しかしそれらの画像は、単独では手術のリハーサルに小さな利点しかもたらさない。
【０００６】
外科医には、彼らに物理的組織特性を持つ臨場感がある視覚モデルを提供するリハーサルおよび準備ツールが不足している。現在、神経外科医が動脈瘤の患者特有の解剖学的構造に基き顕微手術の方法を計画および物理的にリハーサルするのを可能にする、手術前の準備機能はない。よって、以下を含む”完全没入”手術ツールを有することが望まれる。
（ｉ）（脳動脈瘤クリッピング手術支援のような）手術の患者特有の領域の臨場感がある”本物のような”３Ｄ表示、（ｉｉ）手術の幾何学構造および物理的特性の局部の患者特有の領域のモデル作成、（ｉｉｉ）手術モデルの患者特有の領域の操作、および切断、移動およびクランピングのような手術動作の仮想的実行を可能にするインタフェース、（ｉｖ）外科医にフィードバック指示を提供するインタフェース。
【発明の概要】
【課題を解決するための手段】
【０００７】
”脳動脈瘤手術リハーサルプラットフォーム”（ＣＡ−ＳＲＰ）と呼ぶ開示されたシステムおよび方法は、神経外科医が動脈瘤の患者特有の解剖学的構造に基き顕微手術の方法を計画および物理的にリハーサルするのを可能にするプラットフォームを提供する。比類のない手術準備システムとして、ＣＡ−ＳＲＰは以下の患者特有のものを提供する。（ｉ）組織の力学的特性の正確なモデル作成、（ｉｉ）（切開／伝統的手術に見られるような）組織の臨場感がある３Ｄ像、（ｉｉｉ）動的および対話型３Ｄ組織モデルの、リアルタイムの手術のような操作、（ｖ）動脈瘤クリップ、埋没物および他の装置を含む、３次元の動的および対話型患者特有のケースに統合された手術ツールの動的および対話型モデル作成。従ってＣＡ−ＳＲＰは、患者、外科医、および病院に対し、以下の臨床的利点を提供する。（ｉ）顕微手術クリッピング中の客観的に評価される手術中のエラーの可能性を減少、（ｉｉ）有害事象に対する神経外科医の洞察力のある正常な反応の可能性の向上、（ｉｉｉ）手術時間の減少。
【０００８】
特定の患者の医療画像から取得され、または導き出された患者組織画像情報を格納し、組織の基準特性も格納するデータベースと、ディスプレイと、ディスプレイ上で表示するため、特定の患者の組織の動的３Ｄ画像を生成し、生成は、組織の動的３Ｄ画像が臨場感を持って特定の患者の対応する実際の組織を表すように、患者画像情報を使用する画像発生器と、モデル作成システムとともに使用するため適合された実際の手術ツールに接続するツールインタフェースと、ユーザによりもたらされた操作により、組織の動的３Ｄ画像と動的に相互作用するためユーザツールのツールモデルを生成するユーザツール発生器と、ツールモデルのパラメータを調整する前記ユーザのためのユーザ・インタフェースを備え、ツールモデルはディスプレイ上に表示され、医療処置の臨場感があるシミュレーションのため調整されたパラメータにより組織の動的３Ｄ画像と動的に相互作用する、手術シミュレーションを実行するモデル作成システムが提供される。
【０００９】
特定の患者の医療画像から取得され、または導き出された患者組織画像情報を格納するデータベースであって、画像情報は動脈瘤を含み、データベースは組織の基準特性も格納するデータベースと、ディスプレイと、ディスプレイ上で表示するため、特定の患者の組織の動的３Ｄ画像を生成する画像発生器であって、生成は、組織の動的３Ｄ画像が臨場感を持って特定の患者の対応する実際の組織を表し、３Ｄで動脈瘤の画像を示す少なくとも１つの血管を含むように、患者画像情報を使用する画像発生器と、ユーザに対する異なる動脈瘤クリップの複数のモデルのライブラリを格納するメモリと、動脈瘤の画像と動的に相互作用するための動脈瘤クリップモデルとして使用するために、複数のモデルから１つの動脈瘤クリップモデルを選択するユーザ・インタフェースと、モデル作成システムとともに使用するため適合された実際の動脈瘤クリップアプライヤに接続するツールインタフェースと、動脈瘤の画像の力学的特性を調整するユーザのためのインタフェースと、ユーザによる実際の動脈瘤クリップアプライヤの操作により、動脈瘤の画像との動的な相互作用のため、選択された動脈瘤クリップモデルを生成する、ユーザツール発生器を備え、動脈瘤クリッピング手術の臨場感があるシミュレーションのためユーザにより調整されたように、動脈瘤クリップがディスプレイ上に表示され、画像の力学的特性に基き動脈瘤の画像と動的に相互作用する、動脈瘤クリッピング手術のシミュレーションを実行するモデル作成システムも提供される。
【００１０】
また提供されるのは本発明の付加的な実施形態であり、それらのいくつか（しかし全てではない）を実施形態の例として詳細をさらに以下に記載する。
【００１１】
本明細書に記載された本発明の例の機能および利点は、添付の図を参照して後述の記載を読むと、本発明に関する当業者に明らかである。
【図面の簡単な説明】
【００１２】
【図１】手術シアタの例の高レベルの図を提供する。
【図１Ａ】手術シアタの例のハードウェアの実装の他の高レベルの図を提供する。
【図２】共同シアタの概念の例の高レベルの図を提供する。
【図３】手術シアタの実施形態の例に関する、分散シミュレーションネットワークの概念の明細の例を示す。
【図４】手術シアタのための設計レベルおよび準備段階のソフトウェア設計の必要条件を示すブロック図ブロック図である。
【図５】手術シアタのための高レベルの臨場感がある画像発生器（ＲＩＧ）プラットフォームの例を提供する。
【図６】手術シアタのための手術リハーサルプラットフォーム（ＳＲＰ）の高レベルの基本設計概念およびワークフローの例を提供する。
【図７】手術シアタのためのＤＩＣＯＭポリュームビューアにおけるウィンドウのスクリーンショットの例である。
【図８】手術シアタのためのＤＩＣＯＭポリュームビューアにおけるウィンドウのスクリーンショットの例である。
【図９】脳動脈瘤手術リハーサルプラットフォーム（ＣＡ−ＳＲＰ）の実施形態の例の高レベルのブロック図を示す。
【図１０Ａ】ＣＡ−ＳＲＰインタフェースの描写された３Ｄ組織モデルの例のスクリーンショットの例である。
【図１０Ｂ】ＣＡ−ＳＲＰインタフェースの描写された３Ｄ組織モデルの例のスクリーンショットの例である。
【図１０Ｃ】ＣＡ−ＳＲＰインタフェースの描写された３Ｄ組織モデルの例のスクリーンショットの例である。
【図１１】動脈瘤クリップモデルの大きさの例を示す。
【図１２】ＣＡ−ＳＲＰでインタフェースに対して変更された実際の動脈瘤クリップアプライヤの例を示す。
【図１３】ＣＡ−ＳＲＰの例のための、シミュレーション表示に加えて、追跡、監視、および制御装置／インタフェースを通してシステムに接続される、実際の動脈瘤クリップアプライヤを示す。
【図１４】ＣＡ−ＳＲＰの例のための、動脈瘤クリップモデルライブラリおよびシミュレーション表示の例のスクリーンショットを示す。
【図１５】ＣＡ−ＳＲＰの例のための、動脈瘤および動脈瘤クリップの３Ｄシミュレーション表示の例を示す。
【図１６】ＣＡ−ＳＲＰの例のための、動脈瘤クリップモデルライブラリおよびシミュレーション表示の他の例のスクリーンショットを示す。
【図１７】ＣＡ−ＳＲＰの例のための、動脈瘤クリップ修正の表示例を示す。
【図１８】ＣＡ−ＳＲＰの例のための、クリップを適用した前後の動脈瘤頸部の測定を実行する外科医インタフェースのスクリーンショットを示す。
【発明を実施するための形態】
【００１３】
米軍陸軍医学研究司令部の総司令官、Ｌｅｓｔｅｒ  Ｍａｒｔｉｎｅｚ−Ｌｏｐｅｚ大将が宣言した。”医療エラーを減少させ、医療スキルを向上し、とりわけ患者に対する医療ケアを向上するよう、シミュレーションが全範囲で活用することが可能になる日を楽しみにしている。”大将の見解の重要性は、驚くような医療統計内に強調される。”医療エラーは、年間９８，０００人もの人を殺し、有害事象に国全体で〜（中略）〜３７０億ドルから５００億ドルのコストがかかり、〜（中略）〜予防可能な有害事象に１７０億ドルから２９０億ドルのコストがかかる。”神経外科医の見地から、医師Ｅｌ−ＫａｄｉＭ．Ｄ．，Ｐｈ．Ｄ．は、”最もありふれた外科手術でさえ、合併症の可能性がある”と述べる。彼はさらに考える。”私にとって最も困難な部分は、私の頭の中でどう準備するかだ。私にとって、手術に臨むのは戦争に行くようなものだ。あなたはあなたの使命を確認し、非常によく準備し、計画を完璧に実行し、その後無事に帰宅しなくてはならない。あなたが準備できていないなら、あなたは行くべきではない。”本当に、リスクが高い手術（例えば脳動脈瘤修復）の実行には、最高レベルの外科医の準備が必要とされ、手術では厳しい時間制約下で重要な判断がなされ、判断は生物学的重要性および脳と周辺構造の脆弱性によって決定される。言い換えれば、外科医の準備は、ありうる壊滅的な結果を避け、臨床的成果の成功を最大化するために重要である。特に神経外科学の分野で、これは、客観的に評価される手術中のエラーの回避、および患者特有の外科手術の方法の改良を通して、手術成果の成功の可能性を増やす重大なニーズを生む。よって、患者へのリスクなしに特定の神経外科手術の推移を繰り返し計画し、物理的にリハーサルする可能性を神経外科医に提供することは、手術エラーを大幅に減少し、それによって手術成果の成功の可能性を増やす。
【００１４】
現在、よりよいレベルの手術準備のため、３ＤのＣＴ／ＭＲＩスキャンがますます使用されている（６−１１）。しかし脳手術の推移の間、例えば外科医が組織を切断、後退および切り離すとき、脳組織の絶対定位は明らかに変更される。予め登録した静的３Ｄ画像に基いた”進歩した”手術支援システムは、組織の位置の変化を反映できず、いずれの方法的リハーサル機能を提供しないので、これらのシステムの現在の使用は手術前の外科医の補助を限定する。民間および空軍での以前の調査は、課題実行前のリハーサルが成果の向上に重要でありうることを明らかに示した（１２；１３）。残念なことに、前述のようにこれらの任務前（または手術前）のシミュレーションおよび訓練ツールは、医療分野では著しく欠損していた。ＣＡ−ＳＲＰは、患者特有の脳動脈瘤クリッピング手術に関して、神経外科医が方法方策の開発、リハーサルおよび改良をするのを可能にする。この手術から生じうる主要な合併症は、とりわけ、早期動脈瘤破裂、術後脳卒中、または不適切なクリップ配置からの”再出血”を含む。さらに、動脈瘤修復の特定の段階が時間が非常に重要であるとき（例えば輸入管の一時的血管閉塞）、手術の効率はとても重要である。これは、患者特有の動脈瘤の局部の幾何学構造および物理的特性に基いた詳細な計画の重要性、および方法的リハーサル機能の必要を際立たせる。
【００１５】
開示されたシステムおよび方法（以下”脳動脈瘤手術リハーサルプラットフォーム”（ＣＡ−ＳＲＰ））は、２０１０年１０月１９日出願の米国特許出願第１２／９０７，２８５号に開示された手術シアタシステムの改良を使用し、この出願は参照により本明細書に組み込まれる。手術シアタは、特定の組織の動的特性のモデルを患者特有の像に結び付けることによる、コンピュータ化されたシステムその動的および対話型画像内への修道院医療画像である。この動的および対話型画像／モデルは、医療像に新しく、革新的、独創的な標準を生み、多くの適用を持つ。特にこのシステム／方法は、患者特有の像と結び付けられた手術シアタ動的および対話型組織モデルの使用によって計画実行の強化が可能な、医療像ナビゲーションシステム、および画像誘導ロボット手術システムによって使用可能である。
【００１６】
手術シアタは、弁修復および交換、バイパス手術、脳腫瘍除去、動脈瘤クリッピングおよび他の、心臓および脳手術のようなリスクが高い活動を含む手術での困難に対処する。
【００１７】
例えば、脳腫瘍および脳動脈瘤のような開頭／伝統的な脳手術の場合、例えば、手術シアタはＣＴおよびＭＲＩ画像を変換し、周辺組織および血管とともに腫瘍を含む生体の動的モデル作成によって、脳腫瘍または動脈瘤領域の臨場感がある３次元（３−Ｄ）モデルを生成する。システムは、外科医の動作に応え、手術の準備をよりよく補助する本物のような手術ツールに接続される。手術シアタシステムは、特に脳腫脹、血管の損傷、腫瘍の残りの部分への到達を阻害する手術中の脳組織の移動のような、臨場感がある事象をシミュレーションする。外科医が与えられたケースの特定の手術の方法を調整するのを可能にし、手術効率を最大化する一方でリスクを最小化する計画ツールおよび準備ツールとして、システムを使用できる。
【００１８】
手術シアタシステムの概要
【００１９】
図１はシステム１の１つの適用例の実施形態を提供し、そこでは患者特有のスキャン画像（ＣＴ、ＭＲＩまたは同様のもの）（１４）がシステムのコンソール（１０）に送られ、３次元の臨場感がある解剖学的構造表示（１８）を生成するアルゴリズムが画像に質感、影、シャドーイングおよび他の指示を加え、力学的特性アルゴリズム（１６）が画像に力学動作特性を与え、静的／静止画像から動的および対話型画像／モデルに画像を変換する。フォースフィードバックありまたはなしのインタフェースがシステムに接続され、外科医／操作者（１２）がシステムが生成する画像／モデルを操作するのを可能にする。外科医は、ツールおよび埋没物のライブラリから、それらのツールおよび埋没物の特性を含むツールおよび埋没物を選択可能である。外科医はそれから、臨場感があり動的な方法で、患者の生体の操作可能な動的および対話型３次元画像／モデル上で仮想手術を実行する。
【００２０】
システムは、外科医／操作者（１２）の動作により、全てのシステム構成要素を実行および管理し、副構成要素のステータスをアップデートする監視プログラムを有する。例えば、外科医が（選択したツールの使用によるような）ディスプレイ（１８）で見る組織を押すためインタフェース（２０）を使用するとき、力学的特性モデル（１６）は、例えば力の方向のような加えられた力に関する情報を受信する。使用されているツールはその物質および形状およびツールの他の力学的特性を含み、そして力学的特性は、加えられた力による、３次元の位置の新しい状態、画像の広告設定の計算に使用される。監視プログラムは、計算された３次元マトリクスを力学的特性アルゴリズム（１６）により生成された臨場感がある解剖学的構造表示（１８）に送信し、臨場感がある解剖学的構造表示は、新しい画像および画像の変化による指示、例えば画像構成要素の新しい位置が判断されたことによる新しいセットの影およびシャドーイングを計算する。同時に、力学的特性モデル（１６）はパラメータのセットをフォースフィードバックインタフェース（２０）へ送信し、これらのパラメータは、器官との相互作用により外科医／操作者（１２）が検出する必要がある力（外科医が押した後器官が戻る力、またはそうでなければ組織と相互作用する力）の情報を含む。システムの構成要素（１４、１６、１８、２０）のうちの１つのそれぞれにおいて、この新しい段階の計算のプロセスは、急速および継続的に周期的方法で実行され、それぞれのサイクルはミリ秒の時間枠内で完了し、外科医／操作者がリアルタイムで臨場感がある指示、および彼の動作に対するリアルタイムの反応を受信することを可能にする。
【００２１】
図１Ａに示されたように、手術シアタは、何台かのコンピュータ（ＰＣ）２Ａ〜２ｎ、１つまたは複数のデータベース３Ａ〜３ｎおよび他のハードウェア構成要素（例えば、ネットワーク５、６）および所有権を主張できるソフトウェアを、クロゼット内で数歩の大きさの没入型チャンバ／コンソール内に構造化された（図１のコンソール１０参照）、１つの完成したシステム１（図１および図１Ａ参照）に統合するシステムである。外科医１２がシステムを開始すると、外科医はシステムが関連データのアップロードするのを可能にする患者の詳細を含む彼の患者の設定パラメータをロードし、手術シアタはよりも、患者の可能な全てのＣＴおよびＭＲＩ画像を患者画像１４からデータベース３へ、および患者の年齢、性別などのシミュレーションされたモデルに関する他の情報（このうちいくつかまたは全てを、例えば医療データベースのような外部のエンティティ８から得てもよい）をロードする。システムは、システムデータベースから組織情報パラメータ１６を使用する。システム１は、区分化プロセスおよび識別された器官のエンティティを実行し、エンティティは、装置のディスプレイ上で外科医に示されるシミュレーションされた画像モデル１８を生成する血管、組織、腫瘍、などである。システムは、フィードバックメカニズムにより臨場感がある方法的フィードバック２０を提供し、シミュレーションにさらに現実性を加える。
【００２２】
システムは、臨場感がある視覚、力学的特性およびシステムデータベースからの他の関連パラメータ１６、およびこのケースに関連する特性の層を加え、全てが患者画像データベース３からＣＴおよびＭＲＩ画像１４の上面に加えられ、それらの画像と同期される。この同期は、例えば血管画像などに’固定’または’添付’された血管の力学的特性を生じ、臨場感があるシミュレーション機能を提供する。外科医に、モデルを”微調整”し、器官の特定の領域の力学的特性を調整する能力を提供することが可能である。例えば、外科医は、エンティティ動作の弾性および他の力学的特性を調整してもよい。
【００２３】
それから、そのような設定の後、質感、シャドーイングおよびシミュレーションされた画像に現実性を加える他の機能のような臨場感がある機能で、手術シアタは臨場感がある視覚忠実性をもって示された３次元器官モデルを写し出す。視覚モデル１８のそれぞれのセグメントは、システムデータベース１６の適切な力学的特性モデル、および特定のケースの他の関連特性に連動および対応する。
【００２４】
この段階でシステムは、外科医が、システムデータベース内のシステムの仮想ライブラリ１６から、彼の手術（または他の処置）の実行に必要としうる関連する手術ツールおよび他の構成要素（システムソフトウェアの用語では、それらのツールおよび構成要素も同様に”エンティティ”である）を、拾い読みおよび選択することを可能にする。そのような構成要素は、動脈瘤のための占有者、クランプ、クリップ、人工心臓弁および特定のケースに適切な他の構成要素を含んでもよい。（インターネットまたはプライベートネットワークのようなネットワーク９を介してシステム１に接続された付加的なシステム、１’１’’・・・の追加は、共同シアタプラットフォームをもたらしうる。さらに詳細をこの開示内の後で述べる。）
【００２５】
全ての種々のエンティティは、高忠実性分散モデルによって表示され、設計概念内で機能する。例えば、それぞれのエンティティが通常は分離したサブエンティティを有し、サブエンティは例えば”視覚エンティティ”または”力学的エンティティ”などである。それぞれのサブエンティティは、複数のコンピュータの間に分散された異なる環境（例えば、視覚システム環境、力学的モデリング環境など、詳細をさらに後述）のうちの１つに存在する。それぞれのそのようなサブエンティティは、自身の実行（すなわち、例えばエンティティの臨場感がある視覚の表示、またはエンティティの力学的動作の実行）を担当する。
【００２６】
サブエンティティは、分散ネットワークを介して通信し（詳細をさらに後述する）、サブエンティティを同期し、１つの統合エンティティ複合モデルに整合する。例えば、組織が手術ツールによって押されるとき、手術ツール圧力特性（例えば、位置、方向および圧力の量など）はネットワークを介して分散され、サブエンティティのうちのそれぞれ１つは、’注意’し、それがこの手術の損傷圧力によって影響されているかどうか結論付けを担当する。サブエンティティが影響されていると判断すると、サブエンティティモデル、例えば視覚サブエンティティモデル上に影響するそれぞれのそのようなサブエンティティ（例えば、組織エンティティ）は、（組織の出血のような）視覚の影響を表示し、力学的特性は組織の移動をモデル作成する。それぞれのサブエンティティは、その変化−例えば、組織の位置および大きさ−を、他のサブエンティティがこの変化によって影響されるかどうか判断可能なように、ネットワーク上に分配する。そのような動作の終了時、前述の例に関する組織の全てのサブエンティティ（および他のエンティティ）は、前述の例では手術ツールに起因し開始された新しい動作に順応するようになり、必要であればそれらの状態およびモデルを新しい動作に適合する。
【００２７】
よって、種々の機能（サブエンティティ）を、（シミュレーションの状態のローカルコピーの保存のため）分散されたデータおよび状態の重複を使用して、ピアツーピアネットワークに接続された種々のコンピュータ間で分散可能である。全てのコンピュータがネットワーク上でそれらのシミュレーションの部分に影響するあらゆる動作に注意し、そのようなケースでは、サブエンティティはネットワークを介してそれらのパラメータをアップデートしてシステムを正確に保ち、それはもちろん他のサブエンティティ内の他の機能に影響するかもしれず、従って他のサブエンティティはネットワークの監視によって事実をとらえ、さらなるアップデートなどにつながる。このようにして、アップデートが単一のコンピュータが使用される場合よりずっと迅速に起こることができるように、システムは機能を多くのコンピュータ間で並行に分散する。変化により影響されたサブエンティティのみが応答の必要があり、よってネットワークトラフィックは本質的なものに減少させることが可能である。
【００２８】
手術シアタは、後に再生して手術計画を外科医長または研修医に示す、または情報を他の外科医と共有する、取り組んでいる新しい技術を示す、手術の実践などのため、外科医が彼の動作を記録し保存することを可能にする。外科医へのシステムのインタフェースは、フォースフィードバックを含む手術インタフェース（例えば、占有者ハンドル）を含み、フォースフィードバックは、外科医の動作のフォースフィードバック指示の検出を外科医に可能にするようそれらのツールへ送られ、実際の処置を臨場感をもってシミュレーションする。
【００２９】
外科医により手術ツールおよび他のエンティティが選択されると、それらは仮想手術場面に統合され、それらの選択された項目のそれぞれ１つに加えられた、臨場感がある視覚機能および力学的特性および操作特性機能を含む、シミュレーションされたシナリオの統合化構成要素に変わる。例えば、シミュレーションされたはさみは、実際のはさみの力学的特性を反映し、実際のはさみがするようにシミュレーションにおいて切断し、動脈瘤クリップは、シミュレーションされた血管に取り付けられるとき、血流の遮断をシミュレーションする。
【００３０】
次に外科医は、仮想手術のあらゆる段階の手術動作を実行する。外科医はシミュレーションを”中止”して器官を回転し、関心のある領域を異なる方向および遠近感から観察が可能である。外科医は仮想手術の”時点のマーク付け”が可能であり、”その時点のマークに戻る”命令が可能である。例えば、外科医は動脈瘤をクランプする前の時間をマーク付けし、この時点に戻り、一方でこの時点後に起こった全ての動作を”元に戻す”ことが可能である。このやり方で、外科医は最初の開始時点から手術の全体を再び開始することなく、手術の選択された段階の異なる手術アプローチを評価可能である。いくつかのそのような’時点のマーク付け’が可能であり、外科医が手術のいくつかの選択された段階に戻って動作を”再実行”、および試験／リハーサルすることを可能にする。手術シアタの使用は、手術への外科医のリハーサル、外科医長または研修医への説明、手術の実践およびツールおよび方法の開発、テストおよび検証、および知識の共有を含んでもよい。
【００３１】
共同シアタ
【００３２】
図２は、手術シアタが導入された共同シアタのコンセプトの高レベルの例の実施を示す。次世代ブロードバンドインフラストラクチャ２５を活用することにより、異なる病院からＳＲＰ２１、２２、２３・・・を用いる個人がつながり、外科医が国中および世界中で手術のケースを共同で計画、例えば２つ以上の分散した地点から外科医がＳＲＰに入って手術への患者のケースを共にリハーサルすることを可能にする。この共同シアタは、以前の手術シアタのケースの観察、ならびに遠隔の教育および助言を提供することにより、外科医が最善の実践方法を研究することを可能にする。共同シアタは、ＳＲＰに接続し使用する全ての病院が、それまで得られた知識および最新の”最善の実践”にアクセスすることを可能にする。
【００３３】
システムレベル設計
【００３４】
システムレベル設計の記載は、前の節で概略を述べた。視覚描写エンジンは、３ＤのＭＲＩおよびＣＴの患者特有の画像を分析し、特定の画像の解剖学的構造および特徴を示すコンピュータ処理区分化モジュールを生成する。医療マーケットは、膨大な数の医療における高度なデジタル画像化および通信−ＤＩＣＯＭ（１）ビューアを有する。それらの機能は、相互参照可能な３つの異なるパネルの層状の黒片および白片から、患者の器官の３Ｄ画像の静的サブセットを通して移動する完全な能力までの範囲を設定する。また、映画クリップの形で器官の種々の機能および動的変化を記録する４Ｄおよび５Ｄ機能がある。それらの捕捉した画像または連続移動が優秀でありうるのと同じく、それらは時間内の一定のセットのスナップショットである。
【００３５】
手術シアタは既存の３Ｄ変換プロセスを取り、物理的および力学的特性に基いたその人間組織および構造特有の特徴を追加し、組織および構造の特徴はそれからシステムデータベース内に格納される。この患者ベースのモデルが仮想世界で動くと、手術シアタは、外科医が実際の手術での組織操作と同様のモデルを操作する（押す、切断、クランプ、など）のを可能にし、外科医に直感的経験を提供する仮想手術ツールのセットを導入する。
【００３６】
図３は、手術シアタ分散シミュレーションネットワークの例の明細を示す（手術シアタＤＩＳ（ＳＴ−ＤＩＳ）が示される）。図内のそれぞれの構成要素（すなわち、ブロック）は、指定された機能のセットを持つ（スタンドアロンコンピュータまたはコンピュータのグループで実行可能な）分離した計算ステーションである。ステーションは、大量のＤＩＣＯＭデータの転送のような低速の不規則なトラフィックを扱う、（例えばイーサネット（登録商標）ネットワークのような）レギュラーサポートネットワーク３１に適切に接続される。より集中したデータ処理要求では、ステーションは、（例えば高帯域幅のイーサネット（登録商標）で実行可能な）優先権が高いシミュレーションデータのみのために使用されるハードウェアが分離したネットワークである、特殊化した分散対話型シミュレーション（ＳＴ−ＤＩＳ）ネットワーク３２に補助される。ＳＴ−ＤＩＳネットワーク３２は変わりやすいシミュレーション情報を送り、そのような絶妙なシミュレーション負荷分散を可能にする。
【００３７】
手術シアタのＳＴ−ＤＩＳは、独立したシミュレータノードのセットから大規模の仮想世界を構築するネットワーク基本設計概念である。シミュレータノード３３〜３８はネットワークによってつながれ、（例えばＴＣＰ／ＩＰのような）共通のネットワークプロトコルを介して通信する。ＳＴ−ＤＩＳインフラストラクチャは、種々のシミュレータが時間および空間が同期した環境で相互運用するのを可能にする。手術シアタのＳＴ−ＤＩＳで、ＳＴ−ＤＩＳシステム、仮想世界は、エンティティが起こすイベントの手段によって相互に作用する、”エンティティ”のセットとしてモデル作成される。シミュレータノード３３〜３８は、それぞれ独立してシミュレーションの仮想世界の１つまたは複数のエンティティの活動をシミュレーションし、対象のそれらの特性および動作を、他のシミュレータノードへネットワーク上のメッセージにより報告する。ネットワーク上の他のシミュレータノードは、ネットワークメッセージへの”注意”を担当し、（シミュレーションしているエンティティに基き）どれが自身の対象かを判断し、適切に応答する。
【００３８】
分散対話型シミュレーションに関するＳＴ−ＤＩＳネットワークおよびシミュレーション基本設計概念の特徴のうちの１つは、中央サーバまたはプロセッサの必要がないことである。それぞれのシミュレーションアプリケーションは、それ自身のメモリまたはデータベース内に共用の仮想環境の自身のコピーを保持する。この環境の表現は、あらゆるリアルタイム動作の前に種々の手段で全てのシミュレーションアプリケーションに分配される。ＳＴ−ＤＩＳは基本的にピアツーピアの基本設計概念であり、データを全てのシミュレータに送信可能であり、シミュレータでは受信器のニーズによってデータを拒否または受け取り可能である。全てのメッセージが通過する中央サーバをなくすことで、ＳＴ−ＤＩＳはシミュレータが他のシミュレータに重要な情報を送信するタイムラグを減少させる。待ち時間として知られるこのタイムラグは、現実性をかなり減少させ、従ってネットワーク接続されたシミュレータの効率性を減少させうる。シミュレーションの効果的な分散は、シミュレーションされたエンティティに関して新しい状態／イベントが起こり、その状態／イベントがそれに反応しなければならない他のエンティティによって知覚されるまでの時間の待ち時間の少なさに、非常に依存する。訓練装置がもたらすあらゆる遅延は、訓練生にマイナスを強める結果となりかねない。
【００３９】
再び図３を参照すると、アーカイブサーバ３４が、シミュレーションに必要な大量のデータをデータベース内にダウンロードおよび維持するタスクの実行に通常使用される。また、アーカイブサーバ３４を、得られたデータをシミュレーションにさらに使用するための準備に使用が可能である。職分が性質上世界的であるので、またシミュレーション活動に重要ではないので、アーカイブサーバ３４は通常は支援ネットワーク３１にのみ接続されることに留意されたい。
【００４０】
図３は、”アーカイブサーバ”（３４）それが、制御入力を記録し、タイムラインの情報内のシナリオおよび全ての動作を格納し、シナリオおよび動作を再生可能にするデータベース（例えば手術ツールライブラリのようなシナリオに含まれるべき患者名、年齢などおよびファイル）”デブリーフサーバ”（３８）内に格納された医療画像（ＣＴ／ＭＲＩ）および付加的な初期化データをロードするオフラインの”支援”ネットワーク（３１）を有するネットワーク基本設計概念を示す。リアルタイムネットワーク（３２）は、このネットワークの実行は分散対話型シミュレーション（ＤＩＳ）ネットワーク（３２）であり得るので、シミュレーションの間リアルタイムで融合１方向でシステムノード間のメッセージを転送するネットワークである。このネットワークに接続された構成要素は、外科医／操作者システムインタフェースに接続された制御入力部（３３）と、このノードは、システムのリアルタイム要求をＤＳＩネットワークによって満たすことができず、それらのノードｓｉｓ間の直接の物理的接続が必要とされるケースで実行しうるホストコンピュータ（３５）と、任意の直接の物理的接続を有する。ホストコンピュータ（３５）は、監視飼槽プログラムおよび他のモデルおよびシミュレーション構成要素を有し、システム全体のリアルタイム同期およびタイミングを担当する。
【００４１】
シアタ初期化システム（ＴＩＳ）（３６）は、ノードのそれぞれ１つのシステム割り当ておよび設定を実行する。例えば、外科医が使用する特定のツールを選択するとき、ＴＩＳは、正確なツールシミュレーションを生成し、全てのノードが同一の初期化で設定されることを確実にするため、このツール（とデータベース内に格納されたツール特性）の適切なモデルを割り当て／アクティブにする。画像発生器（３６）は、シナリオの支援および視覚化タスクを実行する。ホストコンピュータ（３５）、ＴＩＳ（３６）、画像発生器（３６）およびデブリーフサーバは、初期化のため支援ネットワーク（３１）からオフラインで情報を受信および交換し、”オンライン”およびリアルタイムシミュレーションのため、リアルタイムネットワーク（３２）と情報を受信および交換する。
【００４２】
必要とされる器官表面および容量のデータは、データベース内に格納された既存のＭＲＩ／ＣＴスキャンから抽出される。３Ｄの器官表面データを得るため、システムは、例えばＡｐｐｌｅ  Ｍａｃｉｎｔｏｓｈコンピュータに対し実行されるオープンソースソフトウェアであるＯｓｉｒｉＸ（または同様のもの）のような、ＤＩＣＯＭビューアおよびデータ管理システムを使用可能である。ＯｓｉｒｉＸのボクセル密度値とオブジェクティブＣソースコードに基き器官および器官群の３Ｄの表面を生成する能力の利用により、手術シアタは、データベース内のフラットファイル内に記載する３Ｄの表面および器官の種類についての情報を格納する能力を加える。器官の特性に基き患者特有の画像を再生成する画像発生器ステーション３７へ後に転送されるように、システムデータベース内にこの方法で格納されたこの研究の一部のセット全体。必要がある描写データが得られると、画像発生器ステーション３７の描写プラットフォームが画像に適用される。このため、所有権を主張できる画像発生器アルゴリズムが視覚化ツールキットと統合される（フライトＩＧのような。臨場感がある画像発生器−ＲＩＧの別個の表題の機能を見られたい）。
【００４３】
ＩＧは視覚モデルに割り当てられたシャドーイング、質感、および、物質特性のような微妙な指示を送る独自の機能を有し、さらに詳細をＲＩＧの節で述べる。それらの機能の使用によって、ＩＧが臨場感があり十分に没入型の環境を生成するのみでなく、それは厳しいリアルタイムの制約下で大量の視覚データベースモデルも処理可能である。ＤＩＳ基本設計概念および”エンティティ”設計の組み合わせを可能にすることで、ネットワークトラフィックが最小化され、ピアツーピアノードの分析が高度に効率的リアルタイムシステムを生む。
【００４４】
患者特有の画像を正常に描写した後、適切なシミュレーションの生成のため種々の物理学ライブラリが追加される。脳組織の押しおよび操作が、可能なライブラリのＯｐｅｎＴｉｓｓｕｅ（または同様のもの）コレクションのようなモデリングプラットフォームで実施される広範囲の研究を用いてシミュレーションされる。ＯｐｅｎＴｉｓｓｕｅは、例えば、容積測定シェルおよび３次元の形状の他の複雑な動作をモデル作成するライブラリのオープンソースコレクションである。カスタマイズされたライブラリを、使用のため開発可能である。緊張時の脳組織の力学的特性の研究から得られた脳組織の物理学および力学的特性の特異性を、例えば使用可能である。動物の脳のサンプルの力学的操作の数学的モデルを提供する実験的論文が可能である。シミュレーションされた手術ツールとシミュレーションされた組織の動的および臨場感がある相互作用が、Ｖｉｅｔ  ＨＱＨ，Ｋａｍａｄａ  Ｔ，ａｎｄ  Ｔａｎａｋａ  ＨＴ，ａｎ  ａｌｇｏｒｉｔｈｍ  ｆｏｒ  ｃｕｔｔｉｎｇ  ３Ｄ  ｓｕｒｆａｃｅ  ｍｅｓｈｅｓ  ａｎｄ／ｏｒ  ｖｏｌｕｍｅｔｒｉｃ  ｍｏｄｅｌｓ，１８ｔｈ  Ｉｎｔｅｒｎａｔｉｏｎａｌ  Ｃｏｎｆｅｒｅｎｃｅ  ｏｎ  Ｐａｔｔｅｒｎ  Ｒｅｃｏｇｎｉｔｉｏｎ，４，７６２−７６５．２００６が述べたように、アルゴリズムで実行されアプローチされた（参照により本明細書に組み込まれる）。この研究は、現実感のあるシミュレーション、特に手術シミュレーションの実施のための種々のツールおよび組織の種類を見る。
【００４５】
手術シアタの例のソフトウェアコードはＣ＋＋のような市販の環境で記述され、コードはｗｉｎｄｏｗｓオペレーティングシステム、Ｌｉｎｕｘ（登録商標）システムで実行するよう設計され、または互換性がある。コーディングの開発プロセスで、リアルタイムのシステム性能を維持し、一方で待ち時間を最小化するよう全てが目的化された、コードのリアルタイムの実行およびコードの効率を強調する。
【００４６】
画像発生器（３７）内に設置された視覚システムドライバは、ＯｐｅｎＧＬまたは同様の最適化環境で設計され、高性能の描写および多量のモデルとの相互作用を可能にする一方で要求される高いモデル忠実性を維持し、細部に注意する一方でクロスプラットフォーム環境で高性能を維持する。
【００４７】
計算効率の目的で、視覚モデルのエンティティのそれぞれは、いくつかのレベルの詳細（ＬＯＤ）表示を有する。高いＬＯＤは外科医が高解像度を必要とするシミュレーション場面の領域で表示され、低いＬＯＤは外科医が即時の興味または相互作用がないシミュレーション場面の領域で表示される。例えば、組織視覚モデルは、外科医が相互作用する周辺の領域で高いＬＯＤで表示され、外科医がすぐに相互作用しない領域で低いＬＯＤで表示される。ＬＯＤを、動的に適合可能である。特定の領域へ手術器具を指すような外科医の動作を、視覚モデルの特定の区画のＬＯＤの動的割り当てのために、ＬＯＤ最適化アルゴリズムにより利用可能である。
【００４８】
一般的なシステムのコンピュータは、柔軟性および発展の可能性を提供する、複数コア（複数プロセッサ）を持つＰＣである。コンピュータシステムは、ランダムアクセスメモリ、イーサネット（登録商標）ポート、システムディスク、およびデータディスクを含む。
【００４９】
手術シアタの検証（画像品質、現実性、画像コントローラおよび操作）のため、上級外科医のスキルおよび経験を利用する。特定の手術処置を実行する一方で、それを彼らの多数の神経外科の経験に対して、ならびに彼らがすでに手術し手術シアタでシミュレーションされている特定のケースに対してそれを比較することにより、この外科医をシステムの評価に利用する。
【００５０】
図４の手術シアタブロック図は、スキャンされた画像ＤＩＣＯＭ４１の行データから（軟質の組織、血管などの識別のため）行データの区分化プロセスを通した機能およびプロセスのフロー（図３の実際のネットワーク接続に対して）を記載する。それから画像発生器はそれぞれの区分の視覚表示（影、質感など）を与え、この画像はＤＩＡ４４ネットワークを介して投影インタフェース４６およびホスト４５に接続され、ホスト４５が、外科医インタフェース４７を通して接続される外科医の動作で、および力学的特性、およびホストが有する、新しい状態に全てが影響する他のモデル作成でＩＧ４３をアップデートし、新しい状態をそれぞれのシミュレーションサイクル間にホストが画像発生器４３に送信する。
【００５１】
全てのメッセージが通過する中央サーバをなくすことで、ＳＴ−ＤＩＳは１つのシミュレータ（コンピュータ）が他のシミュレータ（コンピュータ）に重要な情報を送信するタイムラグを劇的に減少させる。待ち時間として知られるこのタイムラグは、大き過ぎる場合、現実性をかなり減少させ、従ってネットワーク接続されたシミュレータの効率性を減少させうる。シミュレーションの効果的な分散は、シミュレーションされたエンティティに関して新しい状態／イベントが起こり、その状態／イベントがそれに反応しなければならない他のエンティティによって知覚されるまでの時間の待ち時間の非常な少なさに依存する。訓練装置がもたらすあらゆる遅延は、操作者（例えば外科医）にマイナスを強める結果となりかねない。
【００５２】
通信の基本設計概念のため推薦される実践（ＩＥＥＥ１２７８．２）によると、内在する通信構造は、リアルタイムのシミュレーションされたエンティティ間の綿密に結び付けられた相互作用（例えば空中戦中の高性能航空機のシミュレーション、または脳手術を実行する外科医のシミュレーション）に関するパケット交換の待ち時間を１００ｍｓまたはそれ未満に補助すべきである。この必要条件は、幾年にもわたって人間を内部に含んだ（ＨＩＴＬ）フライトシミュレータ設計の基本であった人間の反応時間に基く。
【００５３】
ＳＴ−ＤＩＳシステムで、仮想世界は、それらが引き起こすイベントの手段によって互いに相互作用するエンティティのセットとして（前述のように）、モデル作成される。エンティティは、組織、（組織の力学的特性のような）特定の特性のようなシミュレーションされたシナリオ内のサブ構成要素であり、”組織エンティティ”のサブグループを生成する。他のエンティティは、例えば血管などでありえる。それぞれのエンティティは、（異なるシミュレータ／コンピュータのような）分散された方法で作動するいくつかのサブエンティティを有することが可能である。それらのサブエンティティはともに組み合わされ、完全なエンティティモデルを生成する。それらのサブエンティティは、例えば、エンティティの視覚機能および特性を保持しシミュレーションする視覚サブエンティティ、またはエンティティの力学的機能および特性を保持しシミュレーションする力学的特性サブエンティティである。それらのサブエンティティモデルコードのそれぞれは、ＰＣのような異なるコンピュータ（またはコンピュータグループ）で実行可能であり、ＳＴ−ＤＩＳネットワークを介して他のエンティティと同様に互いに通信する。シミュレータノードは、独立してシミュレーションの仮想世界の１つまたは複数のエンティティ（またはサブエンティティ）の活動をシミュレーションし、対象のそれらの特性および動作を、他のシミュレータノードへネットワーク上のメッセージにより報告する。ネットワーク上の他のシミュレータノードは、ネットワークメッセージへの”注意”を担当し、（シミュレーションしているエンティティに基き）どれが自身の対象かを判断し、適切に応答する。
【００５４】
前述の手術シアタ基本設計概念はこの分散シミュレーションの概念に基き、それによって、外科医が直接人間の感覚で器官と相互作用する切開／伝統的手術のリハーサルに重要な没入型シナリオの生成の重要な必要条件である、最高の忠実性を提供する先駆的で独占的な能力を可能にする。それぞれのエンティティがそのサブ構成要素（視覚、力学的特性など）に分割され、それらのサブ構成要素／エンティティのシミュレーションコードのそれぞれが分離したコンピュータで実行するので、これは計算パワーを最大化でき、それによって独自の独占的な最高の忠実性、微妙な指示、および計算機能を最大化でき、一方で厳しいリアルタイム制約下でのテラバイト単位の情報を扱い、一方でリアルタイム性能（例えば１００ミリ秒未満の待ち時間）、フライトシミュレーション技術の主要機能を維持する。
【００５５】
手術シアタは、３ＤのＭＲＩおよびＣＴの患者特有の画像を分析する視覚描写エンジンを容易にし、特定の画像の解剖学的構造および機能を表すコンピュータ処理区分化モジュールを生成する。医療マーケットは、膨大な数の高度なＤＩＣＯＭビューアを有するが、それらの取得された画像または移動シーケンスが素晴らしいのと同様に、それらは時間のスナップショットの固定セットに基く。手術シアタは既存の３Ｄモデル変換アルゴリズムを取り、外科医が取った動作により患者特有のＣＴ／ＭＲＩ画像を矯正するモデルで”生の”画像を生成する物理的および力学的特性に基き、および画像および臨場感がある視覚特性モデル内のそれぞれの画素の力学的特性をシミュレーションするモデルに基き、人体の組織および狭搾特有の機能を追加する。この患者ベースモデルが仮想世界の動作に設定されると、（動脈瘤クリップおよびクリップアプライヤ、骨関節埋没物または他の装置のような埋没物を含みうる）仮想手術ツールのセットが導入され、外科医が実際の手術組織の操作と同様にそれらのモデルを操作する（押す、切断など）のを可能にする。よって、手術シアタは、ユーザに直感的な経験を提供する。
【００５６】
画像発生器について、実施形態の例の手術シアタは、所有権を主張できるフライトシミュレーション画像発生器アルゴリズムを、視覚化ツールキット（ＶＴＫ）のような視覚化コードと統合する。後述の節で詳述するように、手術シアタの臨場感がある画像発生器は、視覚モデルに割り当てられたシャドーイング、質感、および物質特性のような微妙な指示を送る機能を有する。
【００５７】
臨場感がある視覚サブシステム
【００５８】
この節は、衛星画像およびモデルを臨場感がある３次元画像およびモデルに描写可能であるフライトシミュレーション画像発生器の改良版である、手術シアタの”臨場感がある視覚”区分に焦点をあてる。３次元画像およびモデルは、外科医が直接人間の感覚で器官と相互作用する切開／伝統的手術に重要な、患者の特定の臨場感がある動的なＣＴ／ＭＲＩ画像およびモデルへＣＴ／ＭＲＩ  ＤＩＣＯＭ画像を扱いリアルタイム描写する、手術シアタの臨場感がある画像発生器（ＲＩＧ）内で変換される。
【００５９】
人間工学の分野の没入型シミュレーション生成で、視覚システムの使用は重要である。研究は、高いパーセンテージの没入が操作者（例えばパイロットまたは外科医）が相互作用する視覚システムの忠実性および現実性のレベルによって構成および寄与されることを示す。研究成果は、高い忠実性の視覚システムでリハーサルする操作者が、低い忠実性のグループより明らかに高いレベルで自信および意識状態の自己報告を含む記憶作業を完了したことを示す。正確な’記憶’と’知っている’反応の間には著しい正の相関があり、自信のスコアで高い忠実性の臨場感があるシミュレーションを使用するときに見出される。
【００６０】
前述で概略を述べたように、手術シアタは、手術部位および周辺組織／構造の臨場感がある”本物のような”デジタル描写を生成する。このデジタル描写は患者特有で”本物のよう”であるため、それは、手術部位の近似した描写を生成するのに一般的な像を使用する他のシミュレータ、または内視鏡、血管および類似の処置のような非侵襲性処置をシミュレーションする他のシステムからかけ離れて手術シアタを設定し、そこでは、外科医／操作者が、カメラ仕様により定義および限定され、外科医が彼の眼の直接の感覚で生体と相互作用する場合の切開／伝統的な外科医の直接の裸眼の観察の視覚特性と非常に異なる自身の視覚特性を持つカメラと、生体をインタフェースで接続する。しかし、臨場感がある”本物のような”描写は、生きている生物学的組織の特性の複雑性によって、克服可能なタスクを示す。そのような高度の現実性を生成するため、手術シアタはリアルな画像発生器アドオン（ＲＩＧ）である、手術部位と周辺組織の患者特有の画像が臨場感を持って示され、この全ての目的に操作可能な視覚システムを有する。
【００６１】
図５は、ＲＩＧの基本設計概念のブロック図を示す。データベースボックス−患者特有のＣＴ／ＭＲＩ、３Ｄおよび区分化画像に基いたメッシュモジュールの収集、画像の前処理、補整、遮蔽、調整。グラフィッククリエータボックス−グラフィックカードへのインタフェース。ＳＴ−ＤＩＳインタフェースボックス−ＳＴ−ＤＩＳネットワークへのインタフェース。この図は、視覚システムの階層図を示す。システムは、全てのシステム構成要素を実行および管理する監視プログラムを有し、外科医／操作者、および全てのサブ構成要素がＤＩＳネットワーク（５０２）を通して読み出されるときのそれらのステータスにより、サブ構成要素の法令をアップデートする。操作／監視エンジン（５０１）は、全てのシステムの構成要素が同一のデータベース（例えば外科医が選択した損傷のセット）で作業する方法で、全てのソフトウェアおよびハードウェア構成要素の初期化を担当する。シナリオが開始するとき、操作／監視エンジン（５０２）はサイクルおよびタイミング制御を実行して、システムのサブ構成要素の全てが他のサブ構成要素から適時に情報を受信する方法で計画された、時間枠内でその計算サイクルを完了するようそれぞれの構成要素の管理タスクを実行し、システム全体がシミュレーションサイクルを所定の時間枠で完了することを可能にする。例えば、外科医が動作を起こし、動作がＤＩＳネットワーク（５０２）により送信されるとき、特徴発生器（５０４）が、力学的特性アルゴリズムによって計算されたようにこの動作のこの動作／結果の関連部分を読み出し、グラフィッククリエータ（５０３）がこの動作により画像を変更し（例えば外科医に押された血管を移動する）、それからこの変化の結果として画像に加えられる必要がある変更を計算し、例えば、血管位置および方向の変化によって生じた影を生成する。このサイクルは、操作／監視エンジン（５０１）によって、それぞれのサイクルがミリ秒の時間枠内で完了し、外科医／操作者にリアルタイムで臨場感がある指示の受信を可能にする周期的な方法で、迅速および継続的に管理される。
【００６２】
ＣＡ−ＳＲＰの全般的な記載
【００６３】
手術シアタの概念を、ＣＡ−ＳＲＰプロセスを補助するように適応可能である。ＣＡ−ＳＲＰは患者特有のＣＴおよびＭＲＩ像を変換し、周辺組織および血管を含む生体の動的モデル作成で、動脈瘤領域の臨場感がある３次元（３−Ｄ）モデルを生成する。ＣＡ−ＳＲＰは、外科医がＣＡ−ＳＲＰ内で作業するユーザ・インタフェースのハンドルが彼が手術で持つものと同様で、外科医が取った動作に応答し、彼／彼女に手術準備をよりよく補助する方法で、（外科医が操作可能でＣＡ−ＳＲＰにインタフェースで接続するあらゆる実際の手術装置を含む）実際の手術ツールに接続される。ＣＡ−ＳＲＰシステムは、脳腫脹、血管の損傷、外科医がアクセスしようと計画した領域への外科医のアクセスを阻害する手術中の脳組織の移動、ならびに（ｉ）不適切なテンポラリクリップ配置が動脈瘤内の血流を止めない、（ｉｉ）テンポラリクリップが付けられていなかったまたは充分に付けられていなかった場合、動脈瘤の不適切な管理が出血につながる、（ｉｉｉ）テンポラリクリップが長時間あった場合、卒中の再発が発生する可能性がある、（ｉｖ）動脈瘤クリップが、動脈瘤を出る血管を閉塞または動脈瘤頸部に付けられている場合、結果として卒中患者が報告される、のような他の合併症のような臨場感があるイベントをシミュレーションする。
【００６４】
ＣＡ−ＳＲＰ脳動脈瘤手術リハーサルプラットフォーム（ＣＡ−ＳＲＰ）は、区分化、軟質組織の技術アルゴリズム、および全ての構成要素間の位置の相互作用を計算し、（手術ツールが組織または血管にふれるような）相互作用が起こるとき検出する衝突検出アルゴリズムの状態に基いて、ソフトウェアシミュレーションエンジン周辺で中心に置かれる。この相互作用情報（位置、エンジェルなど）が、この相互作用による組織の変形の計算のため組織のモデルに付けられ、ならびにこの相互作用により外科医の手へフォースフィードバックを提供するため手術ツールに付けられる。対象となる領域（すなわち動脈瘤）は、高い忠実性の視覚、リアルタイム、実際の３Ｄ（立体視覚）および臨場感がある（本物のような視覚、質感、シャドーイング、光沢）の画像発生器を用いて、ワークステーション上で外科医に示され、画像発生器は、器官ならびに外科医に使用される手術ツールの両方を表示する。
【００６５】
動脈瘤修復手術は、動脈瘤領域への血流が閉塞する一時的血管クランピングのような種々の処置により、時間が非常に重要になる。手術の時間効率がとても重要であり、局部の患者特有の幾何学構造および物理的特性に基いた詳細な計画が根本的であり、臨床的成果の強化および運用面の効率向上をもたらす。手術シアタは、手術方法の改善および手術成果の向上のために外科医が重要な洞察を得るのを可能にする。
【００６６】
ＣＡ−ＳＲＰ基本設計概念
【００６７】
変形可能な組織モデル作成のＣＡ−ＳＲＰの臨場感がある動作は、大量一括処理を用いてリアルタイム計算を可能にする対角質量行列をつくる有限要素法（ＦＥＭ）を使用する。またそれは、必要とされる箇所に十分な詳細を提供し、一方で不必要な計算を最小化するのに必要な適応メッシュを使用する。
【００６８】
ＣＡ−ＳＲＰの脳組織モデル作成は、この領域の発表された研究に基き、例えば研究は以下を含んでもよく、さらに、ＣＡ−ＳＲＰは組織の力学的特性のあらゆる記載を採用可能である。ｉ）ＭｉｌｌｅｒＫおよびＣｈｉｎｚｅｉ  Ｋ．Ｍｅｃｈａｎｉｃａｌ  ｐｒｏｐｅｒｔｉｅｓ  ｏｆ  ｂｒａｉｎ  ｔｉｓｓｕｅ  ｉｎ  ｔｅｎｓｉｏｎ．Ｊ  Ｂｉｏｍｅｃｈ３５：４８３−４９０，２００２，および，ｉｉ）Ｍｉｌｌｅｒ  Ｋ，Ｃｈｉｎｚｅｉ  Ｋ，Ｏｒｓｓｅｎｇｏ  Ｇ  ａｎｄ  Ｂｅｄｎａｒｚ  Ｐ．Ｍｅｃｈａｎｉｃａｌ  ｐｒｏｐｅｒｔｉｅｓ  ｏｆ  ｂｒａｉｎ  ｔｉｓｓｕｅ  ｉｎ−ｖｉｖｏ：ｅｘｐｅｒｉｍｅｎｔ  ａｎｄ  ｃｏｍｐｕｔｅｒ  ｓｉｍｕｌａｔｉｏｎ．Ｊ  Ｂｉｏｍｅｃｈ３３：１３６９−１３７６，２０００，この両方は参照により本明細書に組み込まれる。
【００６９】
ＣＡ−ＳＲＰ設計は、患者特有のデータ、我々の前述のアルゴリズムを用いて３Ｄ軟質組織モデルに変換されたＣＴおよびＭＲＩ像を採用する。このアルゴリズムは、画像強化処理および区分化法を使用して、外科医に表示され外科医の動作に反応する高い忠実性の区分化モデルを生成する。３Ｄ軟質組織モデルは、それから力学的特性の研究から組織特性を使用する我々のＳＴＤＥ（軟質組織変形エンジン）により、リアルタイムで扱われる。ＳＴＤＥへの他の入力は、外科医が使用するユーザ・インタフェース（ＵＩ）ツールおよびモデル上で結果として生じる動作を含む。結果として生じる変形モデルは、モデルを外科医に臨場感がある方法で表示する高い忠実性の画像発生器に送られる。
【００７０】
ＣＡ−ＳＲＰコードは、標準開発ツールを使用してコード化されたウィンドウプラットフォームで実行し、．ＮＥＴ，ＷＰＦ，ＯｐｅｎＧＬのような可能なソフトウェアパッケージ、およびＳＯＦＡおよびＧｉＰＳｉのような可能なシミュレーションフレームワークを使用する。シミュレーションの異なるモジュール間で共有される情報は、所有権を主張できるプロトコル、つまりフライトシミュレーション”分散対話型シミュレーション−ＤＩＳ”プロトコルに基いた前述で導入された手術シアタの概念から適合可能な、手術分散対話型シミュレーション（ＳＤＩＳ）を用いて分散される。ＳＤＩＳの中心のアイデアは共有に必要とされるデータ量を最小化することであり、従って、シミュレーションの分離した部分（すなわち視覚、力学的特性）を実行する異なる分散したシステム構成要素の拡張性および独立性で、リアルタイム実行を可能にすることである。
【００７１】
ＳＤＩＳベースの基本設計概念
【００７２】
ＳＤＩＳベースの基本設計概念は、最高の忠実性、微妙な指示および計算機能に関する独自の独占的な能力を容易にし、一方で厳しいリアルタイムの制約下で大量の情報を扱い、一方でフライトシミュレーション技術の中心機能であるリアルタイム実行を維持する。ＳＤＩＳネットワークの特徴のうちの１つは、中央サーバまたはプロセッサがなく、それぞれのシミュレーションノード（ノードは画像発生器、ユーザ・インタフェース、力学的モデル作成コンピュータなどであってもよい）が共有の仮想環境のそれ自身のコピー−シミュレーションノードのそれぞれにおいて把握および保持される血管、組織および他のモデルを保持することである。それぞれのそのようなモデルは、分離した”エンティティ”としてのハンドルである。この基本設計概念はいくつかのＰＣが厳しいリアルタイム制約下で同期された方法でともに作動するのを可能にし、シミュレーションされた場面の最高の忠実性を提供する、ＣＡ−ＳＲＰの先駆的な独自の機能を可能にする。これは、外科医が直接人間の感覚によって器官と相互作用する切開／伝統的手術のリハーサルを可能にする没入型シナリオを生成する。
【００７３】
外科医によって手術ツールおよび他のエンティティが選択されると、それらは仮想手術場面へ統合され、それらの選択された項目のそれぞれの１つに加えられた、臨場感がある視覚機能および力学的特性および操作特性機能を有する、シミュレーションされたシナリオの統合された構成要素に変わる。例えば、はさみは、実際のはさみの力学的特性を有し、実際のはさみがするように切断し、動脈瘤クリップは、血管で取り付けられるとき、血流をブロックする。
【００７４】
ＣＡ−ＳＲＰシステムは、そのままで、後述のユニット、またはシミュレーションおよび特定の適用が必要な構成、容量次第であるユニットのサブ部分の組み合わせにより構成する。これらは図４に示される手術シアタシステムについてのものと同様であるが、この節で記載のように変更される。ｓｕｐ構成要素は、複数のＰＣ内のいくつかの分離された計算プロセッサユニットで実行可能である（図９）。
【００７５】
外科医が作業するワークステーションは、ユーザ・インタフェース１０１である。画像発生器１０２は、手術シアタの同じ装置と同様に作動する。シミュレーション監視マネジャ１０３は、システムのリアルタイム動作を同期し、実行し、モデル作成プログラムを実施する。ＳＴＤＥワークステーション１０４−このＰＣはＳＴＤＥ（軟質組織変形エンジン）を扱う。アーカイブサーバ１０５−このステーションは全ての関連ファイルおよびデータを保持し、将来のデブリーフィングおよびデータ収集のために手術の記録が可能である。このＰＣはまた、ネットワークドメインコントローラとして機能する。ＩＯＳ（インストラクタ操作ステーション）１０６は、訓練セッションを監視および制御するもので、またインストラクタがイベントを”挿入”するのを可能にする。また”進行役”として機能し、訓練セッション全体を始動する。
【００７６】
これらの計算プロセッサユニットのそれぞれは、ＳＤＩＳネットワークを介してネットワークスイッチ（図示せず）と接続する。
【００７７】
操作のシナリオ
【００７８】
外科医はＣＡ−ＳＲＰを使用して患者の頭部を仮想的に位置決め、頭皮の露出、開頭部位およびサイズ、および脳収縮を判断して、図１０Ａに示された経路９０５内の所望の血管露出を得る。この部分は、ＵＩでシミュレーションされた操作ツール、ならびにコンピュータマウスおよびキーボードを用いて行われる。ＣＡ−ＳＲＰは、開頭、硬膜切開、および動脈瘤クリップの追加およびテンポラリクリップ除去を通した一時的クランピング中の裂傷血管露出の分割の段階に及ぶ。
【００７９】
操作の一般的なシナリオ：一般的な初期設定
【００８０】
外科医は、システムが関連データをアップロードするのを可能にする患者の詳細を含む彼の患者の設定パラメータを入力し、ＣＡ−ＳＲＰはそれから、患者のＣＴ、ＣＴＡ、ＭＲＩおよびＭＲＡ像、および患者の年齢、性別などのようなシミュレーションされたモデルに関する他の情報をロードする。
【００８１】
患者の頭部の一部の３次元像が、図１０Ａの９０６で示される。外科医は、頭部を９０６で所望の位置に位置決める（頭部位置）。
【００８２】
実際の手術と同様に、外科医はＵＩで動脈瘤部位へたどりつくまでの組織を仮想的に取り除くことにより、動脈瘤にアプローチする経路９０５を仮想的に生成する。外科医は、対象の部位／動脈瘤９０４の領域にマークを付ける。
【００８３】
システムは、区分化プロセスを自動的に実行し、”エンティティ”を識別するのが望ましい。エンティティは血管、組織など９０３であるが、手動の区分化もまた提供可能である。システムの並行処理を使用するハードウェアおよびソフトウェアの配置のため、これは効率的になされ、手動のシミュレーションと対照的にシステム性能を大きく改善する。
【００８４】
”開始シミュレーション”が開始される。初期化プロセスで”取り除かれた”脳組織が、異常な血管形成を有する領域を露出するよう仮想的に後退する。システムはそれから、対象の部位／動脈瘤９０４のマークが付けられた領域で、組織の層、力学的特性および臨場感がある視覚を加え、他の関連するパラメータおよびこのケースに関連する特性をロードし、全てがＣＴとＭＲＩの上面に加えられ、それらの像と同期される。同期は、例えば血管像に’貼り付けけられた’血管の力学的特性を生じる。手術ツール（動脈瘤クリップ、手術埋没物および他の装置を含んでもよい）ライブラリが仮想シナリオに含まれ、外科医に可能である。
【００８５】
外科医はモデルを”微調整”する能力を有し、器官の特定の領域の力学的特性を変更することにより、シミュレーションのモデル作成パラメータを調整する。例えば、ツールと組織相互作用に影響を与える曲げられた形状の動脈瘤クリップ９０２および動脈瘤クリップアプライヤ９０１のように、外科医はエンティティの動作の弾性および他の力学的特性を調整し、彼の経験および予測に基き組織の力学的動作により合致させてもよい。
【００８６】
結果としてＣＡ−ＳＲＰは、質感、シャドーイングおよび元の画像に現実性を加える他の特徴の臨場感がある視覚の忠実性と現実性がある特徴で表示された３次元器官モデルを、効率的に写し出す。視覚モデルのそれぞれのセグメントは、適切な力学的特性モデルに連動および対応する。
【００８７】
図１０Ｂはシミュレーションの追加の視像を示し、血管に直線状クリップ９１１および
曲げられたクリップ９１０をつけるのに使用された後の動脈瘤クリップアプライヤ９１２をさらに示す。
【００８８】
使用の一般的なシナリオ
【００８９】
外科医はシステムの仮想ライブラリを拾い読みし、システムの仮想ライブラリから関連する手術ツールおよび他の構成要素（システムソフトウェアの用語では、それらの構成要素は同様に”エンティティ”である）を選択する。それらのエンティティは、はさみ、双極電気メス、吸引チップ、およびクランプ、クリップアプライヤならびに図１４に示されたようなさまざまな動脈瘤クリップ９３０を有してもよい。図１４はまた、特定の患者の医療像に基いた患者特有の動脈瘤モデル９３３および患者特有の環境で選択されたクリップ９３２も示す。
【００９０】
実際の手術と同様に、外科医は動脈瘤を組織および栄養血管から仮想的に切り離し、頸部を露出して適切な力学的特性モデルおよび外科医の動作によってクリップ／血管および組織の後退または取り出しを受ける。外科医はまたクリップライブラリからテンポラリクリップを選択する。クリップは臨場感をもってモデル作成され、手術ツールにより扱いが可能である。
【００９１】
また実際の手術と同様に、外科医は、栄養血管を正常な循環から切り離すため、栄養血管にテンポラリクリップを仮想的に取り付ける。そして外科医は、動脈瘤の種々の位置、形状、およびサイズに対処するよう、クリップライブラリからクリップを選択する（クリップのライブラリは市販のクリップのサイズ／形状／長さを含む）。選択されたクリップモデルがシナリオに現れる。クリップは実際のクリップの正確な臨場感があるモデルであり、手術ツールにより扱いが可能である。
【００９２】
さらに実際の手術と同様に、外科医はそれからクリップを動脈瘤頸部を横切って仮想的に取り付ける。外科医は視像と様子を暗記し、動脈瘤頸部につけられたクリップ９４０を示す図１５に示されたようなクリップの配置を観察および評価する。外科医はそれからテンポラリクリップを取り除き、動脈瘤を穿刺することが可能である。動脈瘤頸部が完全に閉塞していなければ、出血が起こる。
【００９３】
実際の手術のように、不適切なテンポラリクリップ配置は動脈瘤内への血流を止めず、一方で適切なクリップは、動脈瘤を収縮または閉塞させる。テンポラリクリップが取り付けられていなかったまたは充分に取り付けられていなかった場合、動脈瘤の不適切な管理は出血をもたらす。図１５は、動脈瘤頸部９４１が圧搾され、縮小および膨張する９４２状況を示し、これはより長いクリップが必要かもしれないことを示す。テンポラリクリップが長時間ある場合、卒中の再発の可能性が生じる。動脈瘤クリップが動脈瘤から出る血管を閉塞、または動脈瘤頸部につけられていると、卒中患者が報告される。仮想手術のあらゆる段階で、外科医はシミュレーションを”中止”して器官を回転し、関心のある領域を異なる方向および遠近感から観察が可能である。
【００９４】
外科医は、仮想手術の”時点のマーク付け”が可能であり、それから”マーク時点に戻る”命令ができる。例えば、外科医は動脈瘤のクランピング前の時間のマーク付けができ、この時点に戻り、一方でこの時点の後に起こった全ての動作を”元に戻す”ことができる。この方法で外科医は、手術の選択された段階の異なる手術アプローチを、手術全体を元の開始時点から再び開始することなく評価が可能である。いくつかのそのような’時点のマーク付け’が可能であり、外科医が手術のいくつかの選択された段階に戻って動作を”再実行”、および試験／リハーサルすることを可能にする。
【００９５】
ＣＡ−ＳＲＰは、患者特有の手術に対する計画および準備ツールとして主に使用される。よって、与えられたケースについて外科医が特定の手術方法を調整することを可能にし、手術効率を最大化する一方で、手術成果の向上に関して全ての寄与するリスクを最小化する。
【００９６】
ＣＡ−ＳＲＰの付加的なシナリオは、以下をふくんでもよい。（１）手術に対し外科医がリハーサル、（２）外科医長への外科医の説明、（３）外科医が批評を見て、ＣＡ−ＳＲＰを有しうる同僚とインターネットまたは他のネットワーク接続を通して共同研究する、（４）研修医への外科医の説明、（５）外科医の新しい方法の調査および開発、（６）研修医、専修医の実践、（７）技術者／看護師／内科医アシスタントの実践の確定が、これらの手術での外科医の役割および従って彼らの役割の理解を可能にする、（８）開発プラットフォーム、手術器具ツール、または装置、例えば動脈瘤クリップのテストおよび検証、これは臨場感があるシミュレーションされた環境でのテストである、（９）知識と生じた経験を共有する外科医のコミュニティプラットフォーム、（１０）研修医および外科医の評価試験および認定のプラットフォーム、（１１）特定の手術ツールまたは動脈瘤クリップのような器具の使用を促進するプラットフォーム。
【００９７】
ＣＡ−ＳＲＰは、後に再生して手術計画を外科医長、研修医に示す、または情報を他の外科医と共有する、取り組んでいる新しい技術を示すなどのために、外科医が彼の動作を記録し保存することを可能にする。外科医へのＣＡ−ＳＲＰのインタフェースは、手術インタフェース（すなわちハンドル）、はさみのハンドル、双極およびバヨネット鉗子、および動脈瘤クリップアプライヤを含む。それらのインタフェースは、外科医が彼の動作のフォースフィードバック指示の感知を可能にするようそれらのツールに送られたフォース／触覚フィードバックを含んでも含まなくてもよい。提供するフォース／触覚フィードバックは臨場感があるシミュレーションの提供に特に有用であり、よって望ましい。
【００９８】
脳動脈瘤クリップの調整された患者特有の設計：ＣＡ−ＳＲＰは、外科医が患者特有の動脈瘤および血管の３次元幾何学構造に合致する動脈瘤クリップを位置付けることを可能にするサーチエンジンを含む。図１１の項目９１３、９１４、９１５に示されたような、動脈瘤クリップ全体の長さ、動脈瘤クリップ形状（曲げられた形状の数、配列およびエンゼル値）の判断、動脈瘤クリップ穴の数（穴の数、位置、配列および形状／直径）および他の構造的特性のような物理的パラメータのセットを送ることによる。また、グラフィック・ユーザ・インタフェースは、動脈瘤クリップの３次元モデルで作業し、患者特有の動脈瘤および血管の３次元幾何学構造に合致するそれ自身の動脈瘤クリップを設計するオプションを外科医に可能にする−（どちらかの方法により）外科医が動脈瘤クリップの設計を完了したとき、外科医が設計した動脈瘤クリップのモデルがＣＡ−ＳＲＰ内に現れる。直線状動脈瘤クリップ９０８をつける動脈瘤クリップアプライヤ９０７を示す図１０Ｃを参照されたい。外科医はそれから、迅速な製造のため、調整された設計クリップを３次元の写真ファイル（ｊｐｅｇ、ｂｉｔｍａｐおよび同様のもの）で送信可能である。前述のパラメータの外科医の入力と合致するクリップが市販されている場合、ＣＡ−ＳＲＰは動脈瘤クリップの製造者、部品番号を提供し、動脈瘤クリップの３次元モデルがＣＡ−ＳＲＰ内に現れる。外科医はそれからクリップアプライヤを使用してクリップをつかんで保持し、クリップスプリングに対してクリップを開き、一方でクリップの力が外科医の手に感知される。外科医はそれからクリップを操作し、クリップアプライヤを使用してそれを血管または動脈瘤につける。外科医は、異なるクリップで彼が望むだけ何回でもこのプロセスを繰り返すことが可能である。
【００９９】
バイパス手術のための特定のグラフト形状および設計、特定のボルトネジまたは脊椎手術のためのあらゆる他の埋没物、整形外科の埋没物、および多数の他の適用を調整するよう使用されるこの方法およびプラットフォーム。プラットフォームはまた、あらゆる医療像と（クリップ、埋没物、および他の手術装置のような）手術ツール、およびユーザ・インタフェース、および埋没物を修正し、動的および対話型モデルに基き埋没物を患者特有のケースに合致させるよう設計の調整を可能にするツールの統合を補助する。
【０１００】
ケーススタディの例−調整されて製造された患者特有の設計の動脈瘤クリップの操作のシナリオ
【０１０１】
外科医／操作者は、図１４に示されたようなライブラリ９３０から外科医が選択する可能な基本のクリップモデルのうちの１つで開始する。外科医／操作者はそれから、図１５に示しまた前述したように、（ＣＴ、ＭＲ、Ｘ線、超音波および他のような医療像に基いた）患者特有の動的および対話型モデル上でクリップを評価する。
【０１０２】
動脈瘤の形状はモデル作成の動的性質により変化する−動脈瘤組織のやつ上のクリップの圧力は、９４１、９４２に示されるように、動脈瘤頸部の膨張を圧搾および再形成する。患者特有の被術者の評価で、選択されたクリップが十分でない（動脈瘤全体を遮断しないまたはゴングが鳴った外科医および他にストレスを生じる・・・）と判断されるケースで、外科医／操作者は、図１６に示されたようにライブラリ９５０から評価のため異なるクリップを選択可能で、図１６では、外科医が患者特有の動脈瘤９５２に適用するため新しい湾曲したクリップ９５１を選択するのが示されている。外科医／操作者は、図１８に示されたように、クリップを適用する前および後の動脈瘤頸部の測定を実行可能である。図１８で、測定ツールはカーソルに付着、または独立した／付加的な測定ツールとして機能のどちらかが可能である（１００１）。例えば動脈瘤の頸部を測定するため、カーソルが測定のため患者の解剖学モデル上に置かれる（１００２）。測定の視像の方向が変更され、異なる観察角度が使用される（１００３）。測定結果がウィンドウに現れ、それぞれのカーソルのＸ、Ｙ、Ｚまたは測定ツールが表示される（１００４）。
【０１０３】
図１７に示されたように、外科医／操作者は長さ、形状、角度などを変更し、クリップ９６０からクリップ９６１へ修正して、特定の患者に最も適合する調整された特定のクリップ設計を生成可能である。外科医／操作者は、クリップのいくつかの選択肢を得たい範囲を定義可能である。（例えばクリップ全体の長さが１０、１５および１７ミリメートルまたは湾曲角度が１５、２０および２５度など）。図１７に示されたように、クリップ製造のための３Ｄモデルが生成される。よって、使用および実際の手術での適用のため、特にシミュレーション結果に基いた患者自身の解剖学的構造に合致するよう設計された、調整して作ったクリップを製造して、外科医に送ることが可能である。同様に、他の手術ツールおよび埋没物を、シミュレーションにより操作をまずテストすることで、同じようにカスタマイズ可能である。これを、事前の手術のシミュレーションなしでは不可能な方法で、手術結果の向上に利用可能である。
【０１０４】
患者の医療像（ＣＴ、ＭＲ、Ｘ線、超音波など）を基につくられた患者特有モデル作成シミュレーション環境で、外科医は、（１）対象部位（動脈瘤、欠陥のある血管、欠陥のある心臓弁、折れた骨、損傷された膝関節、損傷された股関節部、損傷された肩など）を露出するため、組織を除去および移動して経路を生成する。（２）シミュレーションされた環境が区分化され、骨、軟質組織、血管、神経などを含む。従って生成された経路は臨場感があり、実際の手術で外科医に可能なものへの限定されるアプローチを正確に表し、それは解剖学上の障害物（例えば取り除かれる必要がある動脈瘤へのアプローチを阻害する眼窩骨）を考慮する。（３）治療が必要な部位が露出されたとき、限定された可能なアプローチおよびアプローチの方向が、外科医が手術室で直面する、臨場感がある限定された作業環境を表す。（４）外科医は手術リハーサルプラットフォーム（ＳＲＰ）埋没物ライブラリを拾い読みし、市販されている移植材を試すよう選択するか標準的モデルを選択する。両方に修正のオプションが提供される。（５）外科医は置換が必要なあらゆる解剖学的構造（すなわち欠陥のある心臓弁または損傷された膝関節）を除去および切り離す。（６）外科医は、可能な臨場感がある限定された空間で、経路を通して新しい埋没物を操作する。（７）外科医は、治療される部位に埋没物を置き、取り付ける／適用する。（８）埋没物（人工膝関節、人工肩関節、人工股関節部など）の取り付けに可能な骨の厚さ、および／または埋没物（バイパスグラフト、人工心臓弁など）の取り付けに可能な血管の厚さ、大きさおよび方向および埋没物部位などのような患者の解剖学的構造に基き、シミュレーションされた配置は検討およびそれに入れる。（９）３次元設計ツールは、外科医がシミュレーションのモデル作成パラメータを調整して、患者の特定の解剖学的構造によりよく適合するよう埋没物（または他の埋め込み可能な装置）を修正するのを可能にする。例えば、患者の特定の動脈瘤のサイズおよび形状、および動脈瘤へのアプローチ／経路の特定の方向に最も適合する調整されて設計されたクリップを生成するため、動脈瘤クリップの長さおよびエンジェルを修正可能である。他の例は、患者の自身の解剖学的構造により合致するような円形または楕円形の心臓弁の大きさの修正であってもよい。さらなる例は、折れた骨の治療に取り付けられるプレートの厚さ、形状および長さを調整した設計であってもよい。モデル作成パラメータを調整する他の例は、バイパスまたは動脈瘤を治療するグラフトの調整された設計、人工膝関節、人工肩関節、および人工股関節の調整された設計および形状および角度であってもよい。（１０）ＳＲＰおよびモデル作成された人工埋没物が、埋没物に必要とされる調整および配列、例えば、手術室内で行われる膝関節の帯および細片の配列の実行を補助する。ＳＲＰは、シミュレーションされた環境でこの配列の実行を進歩した形で可能にする。例えば、手術開始前に、ＳＲＰ／シミュレーションされた環境で、膝関節の帯および細片の長さを、先に留置可能である。（１１）外科医が設計を完了すると、彼はＳＲＰに”製造モデル”−全て外科医が調整した設計に基いた正確な大きさ（長さ、厚さ、エンジェルなど）の３次元モデルのファイル−を生成するよう勧める。（１２）配列前の命令、例えば膝関節の帯および細片の配列の命令が生成される。（１３）設計のファイルまたは印刷がクレーター、および製作される埋没物製造業者に送られる。（１４）ＳＲＰで試みて検証された後のみ、およびそれからベンダから発注される場合のみ病院が特定の埋没物を購入する方法で、ＳＲＰが市販の埋没物の在庫管理を補助可能である。
【０１０５】
画像誘導システムのためのアプリケーションおよび顕微鏡の操作
【０１０６】
手術リハーサルプラットフォーム（ＳＲＰ）は、プラットフォームを画像誘導システムおよび顕微鏡の操作とともに連携するソフトウェアモジュールを有する。外科医がＳＲＰを用いて作成した手術計画をナビゲーションパスまたは操作する顕微鏡画像の上面に重ねて写し出すことで、外科医は、手術ツールの方向、動脈瘤クリップの計画した配置およびアプローチなどのような、自身の計画した動作に従うことが可能である。
【０１０７】
ボタンを押すことで、外科医は、画像誘導システムまたは操作する顕微鏡スクリーンで、彼が以下にかんなをかける動作のビデオクリップを見ることが可能である。（ｉ）経路のエントリ位置、経路のアプローチ方向、（ｉｉ）動脈瘤クリップの配置、動脈瘤クリップの配置のアプローチ、動脈瘤クリップの方向、（ｉｉｉ）クリップアプライヤおよび他の手術ツールの配置、クリップアプライヤおよび他の手術ツールの配置のアプローチ、クリップアプライヤおよび他の手術ツールの方向。
【０１０８】
この統合／重ね合わせた画像は、（クリップアプライヤまたは他の装置のような）ツールは外科医の視界および顕微鏡手術部位の視像を遮りかねず、よって外科医が操作する血管または他の部分を見るのを妨げかねない事実により外科医が手術中有するかもしれない、閉塞した視認性および後方の視認性の困難を、外科医が解消することを可能にする。統合／重ね合わせた画像は、外科医が、実際の手術においてＳＲＰで計画した動作を繰り返し、一方で視覚および他の困難を解消するのを可能にし、彼自身の計画に基いたより効率的な顕微鏡手術、および優れた誘導の提供を可能にする。
【０１０９】
実際のクリップアプライヤの力学的統合
【０１１０】
システムは、図１３に示されたような実際の手術ツール、追跡、監視、および制御装置／インタフェース９２０を通してシステムに接続される実際のクリップアプライヤ９１９へのインタフェースを有する。この装置インタフェース９２０は、実際のクリップアプライヤの移動、およびアプライヤの方向の６度の自由性（ｘ、ｙ、ｚおよび操機手角度、回転、揺れ）を監視する。このインタフェース９２０は、アプライヤの仮定（すなわち閉鎖、開放またはその間のあらゆる位置）動作を監視する。このインタフェース９２０は、図１２に示されたように、クリップアプライヤラッチチップ９１６へクリップアプライヤハンドル９１７を介して接続される。再び図１３を参照すると、シミュレーションされたクリップアプライヤ９１８は、実際のクリップアプライヤ９１９が行い、追跡、監視、および制御装置／インタフェース９２０によってシミュレータへ送信された動作に従い、および応えるように同期される。
【０１１１】
シミュレーションされた手術のプロセスで、外科医は実際のクリップアプライヤ９１９を持って手術動作を実行し、シミュレーションされたクリップアプライヤ９１８は、実際のクリップアプライヤ９１９に従うシミュレーションされたクリップアプライヤ９１８の同期された動作によって、シミュレーションされた環境で外科医の動作に従い、表し、および反映する。実際のクリップアプライヤ９１９は、システムが実際の手術ツールをシミュレーションされた環境に接続する方法の例である。外科医へのＣＡ−ＳＲＰのインタフェースのような他の手術ツールは、特に、手術インタフェース、ｏ型はさみ、双極およびバヨネット鉗子を含む。それらのインタフェースは、外科医が彼の動作のフォースフィードバック指示を感知するのを可能にするようそれらのツールに送られたフォース／触覚フィードバックを、含んでも含まなくてもよい。
【０１１２】
臨床的困難
【０１１３】
栄養血管への識別およびアプローチ：動脈瘤を脳循環から除外し、一方で周辺の血管の負荷を最小化するための動脈瘤クリップの最適な配置および方向の判断。
【０１１４】
種々のクリップから特定のクリップの選択が可能：下の全てが時間制約を切る。手術シアタが、手術方法を向上し手術成果を上げるため、外科医が重大な洞察を得ることを可能にしている。
【０１１５】
臨床的利点：患者特有の、それぞれの患者のそれぞれの特有のケースに調整されたＣＡ−ＳＲＰ、手術準備ツールが、神経手術部に配属された外科医に使用される。ＣＡ−ＳＲＰが、動脈瘤の一時的血管クランピングの段階のような手術の重要な時間区分を最小化することにより、手術成果を上げることが予想される。ＣＡ−ＳＲＰは、正確なリハーサルならびに事前の最善のクリップの選択に基き、および患者自身の解剖学的構造に基き、正確なクランピング方向および動脈瘤領域への最善の推移のアプローチを前もって計画する強化された手段を提供する。これは、動脈瘤修復の質（有効性）が最大化され、一方で卒中のような有害事象が最小化される結果をもたらすと考えられている。
【０１１６】
特定の臨床的利点：（ｉ）手術ロムに入る前でも動脈瘤クリップを事前に選択、（ｉｉ）栄養血管への最適アプローチの事前の計画、（ｉｉｉ）外科医が”もし〜だったらどうなるか”シナリオを実行し、異なる手術方法、異なるクリップおよび異なるアプローチを評価可能である。（ｉｖ）外科医が動脈瘤クリップの最適配置および方向を計画し、動脈瘤の脳循環からの除外を最大化し、一方で周辺の血管の負荷を最小化し、臨床的成果を向上し手術効率を上げ、手術成果を上げて有害事象の可能性を減少させる状況をもたらす。さらにＣＡ−ＳＲＰは、訓練中の研修医および専修医にとって適切なプラットフォーム以上のものであり、我々のマーケット研究が追ったいくつかの”訓練に関する”困難に対処する。ＣＡ−ＳＲＰが対処する主要な訓練の困難は、勤務時間の制限により実践および手術室で可能な時間が少ない脳外科医の訓練の困難である。
【０１１７】
研修医の困難
【０１１８】
”研修医は、週に８０時間を超えた勤務時間をスケジュールしてはならない”ＡＣＧＭＥ，２００２より。”２００３年７月以降、研修医が十分な訓練を受けていることを確実にするため、多くのプログラムがひしめいている”神経外科医全国会議ワシントン委員会より。
【０１１９】
ＣＡ−ＳＲＰは、研修医および専修医が、ＣＡ−ＳＲＰを使用することによって、それぞれの患者特有の手術に効率的な方法でよく準備することで、より多くの経験を得るのを補助する。ＣＡ−ＳＲＰは、外科医、ならびに研修医および専修医の両方に以下の利点を提供する。（１）臨場感がある没入型システムで患者特有のシミュレーションをリハーサルすることによる手術の有害事象の減少、（２）手術時間の減少による運用面の効率向上。
【０１２０】
本発明の実施形態の多くの他の例を、前述の機能の種々の組み合わせを通して提供が可能である。特定の例および実施形態を用いて本発明を前述したが、必ずしも本発明の意図された範囲から逸脱することなく、種々の代替手段を使用してもよく、本明細書に記載された構成要素および／またはステップを等価物で置き換えてもよいことが、当業者には理解されるであろう。本発明の意図された範囲から逸脱することなく、本発明を特定の状況または特定のニーズに適合するため、修正が必要かもしれない。本発明は本明細書に記載された特定の実施および実施形態に限定されず、請求項は、それらの最も広範囲の合理的な解釈を与えられ、全ての新規および明らかでない実施形態、文字通りのものまたは等価物、開示されたまたは開示されないものに及び、それによって対象にされることが意図される。
【図１】
2014522248.tif 000003
【図１Ａ】
2014522248.tif 000004
【図２】
2014522248.tif 000005
【図３】
2014522248.tif 000006
【図４】
2014522248.tif 000007
【図５】
2014522248.tif 000008
【図６】
2014522248.tif 000009
【図７】
2014522248.tif 000010
【図８】
2014522248.tif 000011
2014522248.tif 000012
【図９】
2014522248.tif 000013
【図１０Ａ】
2014522248.tif 000014
【図１０Ｂ】
2014522248.tif 000015
【図１０Ｃ】
2014522248.tif 000016
【図１１】
2014522248.tif 000017
【図１２】
2014522248.tif 000018
【図１３】
2014522248.tif 000019
【図１４】
2014522248.tif 000020
【図１５】
2014522248.tif 000021
【図１６】
2014522248.tif 000022
【図１７】
2014522248.tif 000023
【図１８】
2014522248.tif 000024
【国際調査報告】
2014522248.tif 000025